(57)【要約】      （修正有）【課題】書籍支持板を支持する天秤アームを適当な高さ位置にポールに取付け、天秤アームを垂直方向に回動させて書籍支持板を最適高さに調整し、不使用時には上方へ回動させ、寝た状態で楽に読書可能な書見台を得る。【解決手段】ベース部材３に立設したポール５に、高さ調整可能に取付けた水平方向に回動可能な取付具１５に天秤アーム１９を取り付け、天秤アーム１９の一端部に所定の力で回動可能に取り付けた書籍支持板２１と、この書籍支持板２１に書籍２を書籍支持板２１の中央部に支持させる中央支持具２４と、書籍２の両端部をめくり可能に係止する端部係止具２７と、天秤アーム１９の他端部に位置調整可能に係止する書籍支持板２１を所定の高さに位置させることができる天秤重り２８と、ポール５に高さ調整可能で、かつ突出量を調節できるように取付けられた先端部に照明灯３３が設けられた照明灯支持アーム３２とで書見台１を構成する。【選択図】図１
2010178940.tif 000002
【特許請求の範囲】
【請求項１】
ベース部材に立設されたポールと、このポールに高さ調整可能に取付けることができるアーム支持体と、このアーム支持体に左右方向の位置を調節することができ、かつ水平方向に回動可能な取付具を介して取付けられた天秤アームと、この天秤アームの一端部に所定の力を加えると回動できるように取付けられた書籍を支持する書籍支持板と、この書籍支持板に支持された書籍を、該書籍のほぼ中央部を書籍支持板のほぼ中央部に支持させる中央支持具と、この中央支持具に支持された書籍の両端部を書籍のめくりが可能に係止することができる前記書籍支持板の両端部に設けられた書籍の端部係止具と、前記天秤アームの他端部に位置調整可能に係止することができる前記書籍支持板を所定の高さに位置させることができる天秤重りと、前記ポールに高さ調整可能で、かつ先端部の突出量を調節できるように取付けられた先端部に照明灯が設けられた照明灯支持アームとで構成したことを特徴とする書見台。
【請求項２】
書籍の端部係止具は挟着片の一端部が回動可能に書籍支持板の端部寄りの背面に取付けられたバークランプであることを特徴とする請求項１記載の書見台。
【請求項３】
ポールは所定間隔でリング状の凹部が形成されたものを使用するとともに、このポールの所定位置のリング状の凹部と係止する位置決め部材および、この位置決め部材が内部に入り込んで係止される係止リングとからなるアーム支持体を用いていることを特徴とする請求項１記載の書見台。
【発明の詳細な説明】
【技術分野】
【０００１】
本発明は寝た状態で書籍を読むことができる書見台に関する。
【背景技術】
【０００２】
従来の書見台は、書籍を支持する書籍支持台を支持する水平シャフトを垂直シャフトに高さ調整可能に取付けられている。
【０００３】
このため、書籍支持台の使用しやすい高さへの調整は水平シャフトの高さ調整で行なわなければならず、その高さ調整作業が大変であるという欠点があった。
【先行技術文献】
【特許文献】
【０００４】
【特許文献１】特開平９−１８７３２３
【特許文献２】特開２００５−３４２０２９
【発明の概要】
【発明が解決しようとする課題】
【０００５】
本発明は以上のような従来の欠点に鑑み、書籍支持台を支持している天秤アームが適当な高さとなる位置に取付具によってポールに取付けた後、天秤アームを垂直方向に回動させて書籍支持台の高さを最適に使用できる高さに調整することができるとともに、不使用時にはじゃまにならない上部位置へ回動させておくことができる、寝た状態で書籍を楽に読むことができる書見台を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はベース部材に立設されたポールと、このポールに高さ調整可能に取付けることができるアーム支持体と、このアーム支持体に左右方向の位置を調節することができ、かつ水平方向に回動可能な取付具を介して取付けられた天秤アームと、この天秤アームの一端部に所定の力を加えると回動できるように取付けられた書籍を支持する書籍支持板と、この書籍支持板に支持された書籍を、該書籍のほぼ中央部を書籍支持板のほぼ中央部に支持させる中央支持具と、この中央支持具に支持された書籍の両端部を書籍のめくりが可能に係止することができる前記書籍支持板の両端部に設けられた書籍の端部係止具と、前記天秤アームの他端部に位置調整可能に係止することができる前記書籍支持板を所定の高さに位置させることができる天秤重りと、前記ポールに高さ調整可能で、かつ先端部の突出量を調節できるように取付けられた先端部に照明灯が設けられた照明灯支持アームとで書見台を構成している。
【発明の効果】
【０００８】
以上の説明から明らかなように、本発明にあっては次に列挙する効果が得られる。
【０００９】
（１）ベース部材に立設されたポールと、このポールに高さ調整可能に取付けることができるアーム支持体と、このアーム支持体に左右方向の位置を調節することができ、かつ水平方向に回動可能な取付具を介して取付けられた天秤アームと、この天秤アームの一端部に所定の力を加えると回動できるように取付けられた書籍を支持する書籍支持板と、この書籍支持板に支持された書籍を、該書籍のほぼ中央部を書籍支持板のほぼ中央部に支持させる中央支持具と、この中央支持具に支持された書籍の両端部を書籍のめくりが可能に係止することができる前記書籍支持板の両端部に設けられた書籍の端部係止具と、前記天秤アームの他端部に位置調整可能に係止することができる前記書籍支持板を所定の高さに位置させることができる天秤重りと、前記ポールに高さ調整可能で、かつ先端部の突出量を調節できるように取付けられた先端部に照明灯が設けられた照明灯支持アームとで構成されているので、天秤アームをポールの適当な位置に取付具を介して取付け、天秤アームを垂直方向に回動させるだけで、書籍支持板に支持された書籍を最適な寝た状態で読むことができる高さに設定することができる。
したがって、従来のように水平シャフトを最適な高さ位置に取付けるものに比べ、容易に書籍支持板の高さ位置を最適状態に設定することができる。
【００１０】
（２）前記（１）によって、天秤アームの高さ、左右方向の位置調整や水平方向に回動調整することができるとともに、天秤アームの一端部に所定の力を加えると回転できるように書籍支持板を取付けているので、書籍支持板の高さ、ポールからの距離や、書籍支持板の回動等の操作ができ、寝た人が最適に使用できる位置に書籍支持板を位置させることができる。
【００１１】
（３）前記（１）によって、天秤アームを天秤重りで回動位置を保っているので、使用時には書籍支持板を上方へ回動させておくことにより、ベッドへの出入に際してじゃまになったりするのを確実に防止することができる。
【００１２】
（４）前記（１）によって、天秤アームの回動で書籍支持板を移動させることができるので、簡単な操作で使用、不使用状態にすることができる。
【００１３】
（５）請求項２も前記（１）〜（４）と同様な効果が得られるとともに、バークランプによって書籍支持板に支持されている書籍を、簡単にめくって読むことができる。
【００１４】
（６）請求項３も前記（１）〜（４）と同様な効果が得られるとともに、天秤アームをポールの任意の高さ位置に調整することが容易にできる。
【図面の簡単な説明】
【００１５】
【図１】本発明を実施するための第１の形態の正面図。
【図２】本発明を実施するための第１の形態の側面図。
【図３】本発明を実施するための第１の形態の背面図。
【図４】本発明を実施するための第１の形態の平面図。
【図５】本発明を実施するための第１の形態のアーム支持体の説明図。
【図６】本発明を実施するための第１の形態の取付具の説明図。
【図７】本発明を実施するための第１の形態の中央支持具の説明図。
【図８】本発明を実施するための第１の形態の端部係止具の説明図。
【図９】本発明を実施するための第１の形態の照明灯支持アームの説明図。
【図１０】本発明を実施するための第２の形態の正面図。
【図１１】本発明を実施するための第２の形態の取付具の説明図。
【図１２】本発明を実施するための第３の形態の正面図。
【図１３】本発明を実施するための第３の形態の天秤重りの説明図。
【発明を実施するための形態】
【００１６】
以下、図面に示す本発明を実施するための形態により、本発明を詳細に説明する。
【００１７】
図１ないし図９に示す本発明を実施するための第１の形態において、１は仰向けに寝た状態で本等の書籍２を読むことができる本発明の書見台で、この書見台１は床面に置くことができるベース部材３と、このベース部材３に立設された所定間隔でリング状の凹部４が形成されたポール５と、このポール５に高さ調整可能に取付けることができる、前記リング状の凹部４に係止する係止片６が内壁面に形成された開閉可能な位置決め部材７、この位置決め部材７を内部に収納する位置決め部材挿入孔８が形成されたアーム支持体本体９とからなるアーム支持体１０と、このアーム支持体１０に固定された固定アーム１１、この固定アーム１１の先端部に枢支ピン１２で先端部が上下方向に回動可能に取付けられた可動アーム１３、この可動アーム１３の回動を任意に設定する、該可動アーム１３と前記固定アーム１１との間に介装される可動アームの角度設定部材１４とからなる取付具１５と、この取付具１５の可動アーム１３に固定されたボルト１６に所定間隔で形成されたボルト挿入孔１７の任意の位置を挿入し、蝶ナット１８で回動可能に取付けられた天秤アーム１９と、この天秤アーム１９の一端部に所定の力を加えると回動できるように枢支ピン２０で取付けられた本等の書籍２を支持する書籍支持板２１と、この書籍支持板２１に支持された書籍２のほぼ中央部に挿入される板状の支持板２２、この板状の支持板２２の上下部に取付けられた、該板状の支持板２２を前記書籍支持板２１に取付ける取付紐２３とからなる中央支持具２４と、この中央支持具２４に支持された書籍２の両端部を、書籍のめくりが可能に係止する、前記書籍支持板２１のほぼ中央部の両端部の背面の一方の挟着片２５が回動可能に取付けられたバークランプ２６、２６を用いた端部係止具２７、２７と、前記天秤アーム１９の他端部に位置調整可能に係止することができる、前記書籍支持板２１を所定の高さに位置させることができる天秤重り２８と、前記ポール５の高さ調整可能で、かつ先端部の突出量を調節できる２個の透孔２９、３０が形成された取付板３１、この取付板３１の他方の透孔３０に挿入される角材で形成された照明灯支持アーム３２と、この照明灯支持アーム３２の先端部に取付けられた照明灯３３とで構成されている。
【００１８】
上記構成の書見台１はアーム支持体１０によって、ポール５に取付けられる天秤アーム１９のおおよその高さを設定する。
しかる後、取付具１５でポール５から天秤アーム１９の一端部の突出量が最適となる位置のボルト挿入孔１７にボルト１６を挿入し、蝶ナット１８で回動可能に取付けるとともに、天秤アーム１９の一端部に取付けられた書籍支持板２１の角度が最適となるように可動アーム角度設定部材１４で設定する。
また、天秤アーム１９の他端部には一端部の書籍支持板２１を持って上下移動させると、簡単に上下移動して、その位置で停止する天秤重り２８を取付けておくとよい。
このため、書籍２が支持された書籍支持板２１の高さ調整はアーム支持体１０および天秤アーム１９の回動によって行なうことができる。
また、書籍支持板２１のポール５からの突出量は天秤アーム１９の取付具１５への取付けによって行なうとともに、書籍支持板２１の回動位置の設定は取付具１５の可動アーム角度設定部材１４で行なうことができる。
さらに、書籍支持板２１を天秤アーム１９に取付けられた枢支ピン２０を中心に任意の位置へ回動して、読みやすい状態に設定することができる。
このため、使用者は書籍支持板２１に支持された書籍２を最適な突出位置、高さ、角度に設定して、ベッドに仰向けに寝た状態で読むことができる。
なお、ページのめくりは一方の端部係止具２７よりスライド移動させて外し、他方の端部係止具２７のバークランプ２６の操作アーム３４を後方へ動かすことにより、他方の挟着片３５が書籍２の他端部より外れるので、めくったページを重ね合わせてバークランプ２６の操作アーム３４を外すことにより、挟み付けることができる。
なお、他方の挟着片３５にはバークランプ２６の荷重が加わるため、書籍２の両端部をページが不必要にめくれることなく押さえることができる。
また、操作ボタン３６とレバー３７の操作で他方の挟着片３５の位置を調整することができる。
[発明を実施するための異なる形態]
【００１９】
次に、図１０ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図１０および図１１に示す本発明を実施するための第２の形態において、前記本発明を実施するための第１の形態と主に異なる点は、可動アーム１３が所定位置で停止させることができるように固定アーム１１に螺合させた蝶ボルトを用いた可動アーム角度設定部材１４Ａを用いた取付具１５Ａを使用するとともに、天秤アーム１９の他端部側に、該天秤アーム１９の伸縮量を調整することができる長孔状のボルト挿入孔１７Ａを形成した点で、このように構成した書見台１Ａにしても、前記本発明を実施するための第１の形態と同様な作用効果が得られる。
【００２１】
図１２および図１３に示す本発明を実施するための第３の形態において、前記本発明を実施するための第１の形態と主に異なる点は、トートバック２８ａに本２８ｂを収納して天秤重り２８Ａとした点で、このように構成した書見台１Ｂにしても、前記本発明を実施するための第１の形態と同様な作用効果が得られる。
【産業上の利用可能性】
【００２２】
本発明は書見台を製造する産業で利用される。
【符号の説明】
【００２３】
１、１Ａ、１Ｂ：書見台、      ２：書籍、
３：ベース部材、              ４：リング状の凹部、
５：ポール、                  ６：係止片、
７：位置決め部材、            ８：位置決め部材挿入孔、
９：アーム支持体本体、        １０：アーム支持体、
１１：固定アーム、            １２：枢支ピン、
１３：可動アーム、                                    
１４、１４Ａ：可動アームの角度設定部材、
１５、１５Ａ：取付具、        １６：ボルト、
１７、１７Ａ：ボルト挿入孔、  １８：蝶ナット、
１９：天秤アーム、            ２０：枢支ピン、
２１：書籍支持板、            ２２：板状の支持板、
２３：取付紐、                ２４：中央支持具、
２５：一方の挟着片、          ２６：バークランプ、
２７：端部係止具、            ２８、２８Ａ：天秤重り、
２９、３０：透孔、            ３１：取付板、
３２：照明灯支持アーム、      ３３：照明灯、
３４：操作アーム、            ３５：他方の挟着片、
３６：操作ボタン、            ３７：レバー。
【図１】
2010178940.tif 000003
【図２】
2010178940.tif 000004
【図３】
2010178940.tif 000005
【図４】
2010178940.tif 000006
【図５】
2010178940.tif 000007
【図６】
2010178940.tif 000008
【図７】
2010178940.tif 000009
【図８】
2010178940.tif 000010
【図９】
2010178940.tif 000011
【図１０】
2010178940.tif 000012
【図１１】
2010178940.tif 000013
【図１２】
2010178940.tif 000014
【図１３】
2010178940.tif 000015